(57)【特許請求の範囲】
【請求項１】
基地局が、受信したUEから報告された効果的なプリコーディングの数が閾値a以上であるかを判定し、そうである場合にステップBを、そうでない場合にステップDを実行するステップAと、
受信した前記各効果的なプリコーディングが同一レイヤーに基づくかを判定し、そうである場合にステップCを、そうでない場合にステップDを実行するステップBと、
前記各効果的なプリコーディングの変更が速い変更であるかを判定し、そうである場合に前記UEに対して送信ダイバーシティ伝送モデルを採用してプロセスを終了させ、そうでない場合に前記UEに対してMIMO伝送モデルを採用してプロセスを終了させるステップCと、
前記UEに対してMIMO伝送モデルを採用するステップDと、を含み、
前記効果的なプリコーディングは、最近の時間帯Lの内、基地局が受信した前記UEから報告されたプリコーディングである、
ことを特徴とするプリコーディング処理方法。
【請求項２】
前記時間Lの値は8ミリ秒〜200ミリ秒であり、前記閾値aの値は4〜10であることを特徴とする請求項1に記載のプリコーディング処理方法。
【請求項３】
前記ステップCにおいて、効果的なプリコーディングの変更速度を判定することは、
前記各効果的なプリコーディングが基づくレイヤーにおいて、前記各プリコーディングのベクトル変更速度を判定する規則により、前記各効果的なプリコーディングの各レイヤーでのベクトルの変更速度を判定し、前記各効果的なプリコーディングのベクトルの変更が速い変更であるレイヤーの数が予め設定された閾値d（dは１以上且つ前記各効果的なプリコーディングが基づくレイヤー数以下である整数）に達した場合、前記各効果的なプリコーディングの変更が速い変更であると判定することを含むことを特徴とする請求項1に記載のプリコーディング処理方法。
【請求項４】
前記各効果的なプリコーディングが基づくレイヤーにおいて、前記各効果的なプリコーディングのベクトル変更速度を判定する規則は、
当該レイヤーにおいて、前記各効果的なプリコーディングのベクトルが同一位置における素子の変更速度を判定する規則により、当該レイヤーでの前記各プリコーディングのベクトルが各同一位置における素子の変更速度を順次に判定し、速い変更である位置の数が閾値c（cは１以上且つ前記各効果的なプリコーディングが基づくレイヤー数以下である整数）より大きい場合、当該レイヤーでの前記各プリコーディングのベクトルの変更が速い変更であると判定し、そうでない場合に、当該レイヤーでの前記各効果的なプリコーディングのベクトルの変更が速い変更ではないと判定することを特徴とする請求項３に記載のプリコーディング処理方法。
【請求項５】
前記当該レイヤーにおいて、前記各効果的なプリコーディングのベクトルが同一位置における素子の変更速度を判定する規則は、
プリコーディング受信ウィンドウとプリコーディングトレンド判定ウィンドウを予め設置するステップ１と、
前記プリコーディング受信ウィンドウと前記プリコーディングトレンド判定ウィンドウにおける各プリコーディングの当該レイヤーでのプリコーディングベクトルが同一位置における素子分布タイプを区分するステップ2と、
前記ステップ1と2に基づいて、
前記プリコーディング受信ウィンドウにおける前記分布タイプが静的分布又は関連分布である場合、当該レイヤーにおいて、前記各効果的なプリコーディングのベクトルが同一位置における素子の変更が速い変更ではないと判定することと、
前記プリコーディング受信ウィンドウにおける前記分布タイプがジャンピング分布である場合、さらに前記プリコーディングトレンド判定ウィンドウにおける前記分布タイプが静的分布であるかを判定し、そうである場合に当該レイヤーでの前期各効果的なプリコーディングのベクトルが当該同一位置における素子の変更が速い変更ではないと判定し、そうでない場合に速い変更であると判定することと、
プリコーディング受信ウィンドウにおける前記分布タイプがエリア分布又は散乱分布である場合、さらにプリコーディングトレンド判定ウィンドウにおける前記分布タイプが静的分布であるか関連分布であるかを判定し、静的分布である場合に、当該レイヤーでの前記各効果的なプリコーディングのベクトルが当該同一位置における素子の変更が速い変更ではないと判定し、関連分布で場合、速い変更であると判定することと、を含むステップ3を含むことを特徴とする請求項4に記載のプリコーディング処理方法。
【請求項６】
前記ステップCには、
前記UEに対してMIMO伝送モデルを採用することを確定した場合、
基地局が前記UEから最近に報告されたプリコーディングでMIMO伝送をするが、前記各効果的なプリコーディングのベクトル変更が速いレイヤーがある場合、基地局が、前記UEから最近に報告されたプリコーディングから前記変更が速いレイヤーの対応するベクトルを除いたプリコーディングを採用する方法により、
当該回のMIMO伝送で採用するプリコーディングを確定することをさらに含むことを特徴とする請求項1〜5のいずれかに記載のプリコーディング処理方法。
【請求項７】
前記ステップDには、
前記UEから最近に報告されたRIの対応するレイヤー数が現時点に採用されているレイヤー数以下である場合、前記UEから最近に報告されたプリコーディングでMIMO伝送をする方法と、
前記UEから最近に報告されたRIの対応するレイヤー数が現時点に採用されているレイヤー数より大きい場合、
受送信アンテナ数が全て2である場合、前記UEから最近に報告されたプリコーディングからブロードバンドCQIが一番大きいストリームの対応するレイヤーの対応するプリコーディングのベクトルを、当該回のMIMO伝送で採用するプリコーディングにするプロセスと、
受送信アンテナ数が全て4である場合、
前記UEから最近に報告されたRIの対応するレイヤー数が4であるが、現時点に採用されているレイヤー数が3である場合、前記UEから最近に報告されたプリコーディングから、レイヤー1又はレイヤー2の対応するプリコーディングのベクトルを除いたプリコーディングを、当該回のMIMO伝送で採用するプリコーディングにすることと、
前記UEから最近に報告されたRIの対応するレイヤー数が4であるが、現時点に採用されているレイヤー数が2である場合、前記UEから最近に報告されたプリコーディングから、レイヤー1又はレイヤー2が対応するプリコーディングのベクトルを除くとともに、レイヤー3又はレイヤー4が対応するプリコーディングのベクトルを除いたプリコーディングを、当該回のMIMO伝送で採用するプリコーディングにすることと、
前記UEから最近に報告されたRIの対応するレイヤー数が4であるが、現時点に採用されているレイヤー数が1である場合、CQIが一番大きいストリームの対応するレイヤーの対応する二つのプリコーディングのベクトルの中のいずれかを、当該回のMIMO伝送で採用するプリコーディングにすることと、
前記UEから最近に報告されたRIの対応するレイヤー数が3であるが、現時点に採用されているレイヤー数が2である場合、前記UEから最近に報告されたプリコーディングから、レイヤー2又はレイヤー3が対応するプリコーディングのベクトルを除いたプリコーディングを、当該回のMIMO伝送で採用するプリコーディングにすることと、
前記UEから最近に報告されたRIの対応するレイヤー数が3であるが、現時点に採用されているレイヤー数が1である場合、CQIが一番大きいストリームの対応するレイヤーの対応する一つのプリコーディングのベクトル、または二つのプリコーディングベクトルの中のいずれかを、当該回のMIMO伝送で採用するプリコーディングにすることと、
前記UEから最近に報告されたRIが対応するレイヤー数が2であるが、現時点に採用されているレイヤー数が1である場合、CQIが一番大きいストリームの対応するレイヤーの対応するプリコーディングのベクトルを、当該回のMIMO伝送で採用するプリコーディングにすることと、
を含むプロセスと、
を採用する方法とにより、当該回のMIMO伝送で採用するプリコーディングを確定することをさらに含む請求項1〜5のいずれかに記載のプリコーディング処理方法。
【請求項８】
UEから報告されたプリコーディングを受信する前記プリコーディング受信モジュールと、
基地局が受信した前記UEから報告された効果的なプリコーディングの数が閾値a以上であるかを判定し、閾値a以上である場合、さらに受信した前記各効果的なプリコーディングが同一のレイヤーに基づくかを判定し、前記各効果的なプリコーディングが同一のレイヤーに基づく場合に、さらに前記各効果的なプリコーディングの変更が速い変更であるかを判定し、効果的なプリコーディングの変更が速い変更である場合に、基地局が前記UEに対して送信ダイバーシティ伝送モデルを採用することを確定する一方、前記基地局が受信した前記UEから報告された効果的なプリコーディングの数が閾値ａ以上でない場合、受信した前記各効果的なプリコーディングが同一レイヤーに基づくものではない場合、及び前記各効果的なプリコーディングの変更が速い変更ではない場合の少なくともいずれか一つである場合に、前記UEに対してMIMO伝送モデルを採用することを確定する前記伝送モデル選択モジュールと、を備え、
その中、前記効果的なプリコーディングは、最近の時間帯Lの内、基地局が受信した前記UEから報告されたプリコーディングであることを特徴とするプリコーディング処理装置。
【請求項９】
基地局が前記UEから最近に報告されたプリコーディングでMIMO伝送をするが、前記各効果的なプリコーディングのベクトル変更が速いレイヤーがある場合、基地局が採用するプリコーディングが、前記UEから最近に報告されたプリコーディングから変更が速いレイヤーの対応するベクトルを除いたプリコーディングである方法により、当該回のMIMO伝送で採用するプリコーディングを確定する第一のプリコーディング確定モジュールをさらに含むことを特徴とする請求項8に記載のプリコーディング処理装置。
【請求項１０】
前記UEから最近に報告されたRIの対応するレイヤー数が現時点に採用されているレイヤー数以下である場合、前記UEから最近に報告されたプリコーディングでMIMO伝送をする方法と、
前記UEから最近に報告されたRIの対応するレイヤー数が現時点に採用されているレイヤー数より大きい場合、
受送信アンテナ数が全て2である場合、前記UEから最近に報告されたプリコーディングからブロードバンドCQIが一番大きいストリームの対応するレイヤーの対応するプリコーディングのベクトルを、当該回のMIMO伝送で採用するプリコーディングにするプロセスと、
受送信アンテナ数が全て4である場合、
前記UEから最近に報告されたRIの対応するレイヤー数が4であるが、現時点に採用されているレイヤー数が3である場合、前記UEから最近に報告されたプリコーディングから、レイヤー1又はレイヤー2の対応するプリコーディングのベクトルを除いたプリコーディングを、当該回のMIMO伝送で採用するプリコーディングにすることと、
前記UEから最近に報告されたRIの対応するレイヤー数が4であるが、現時点に採用されているレイヤー数が2である場合、前記UEから最近に報告されたプリコーディングから、レイヤー1又はレイヤー2が対応するプリコーディングのベクトルを除くとともに、レイヤー3又はレイヤー4が対応するプリコーディングのベクトルを除いたプリコーディングを、当該回のMIMO伝送で採用するプリコーディングにすることと、
前記UEから最近に報告されたRIの対応するレイヤー数が4であるが、現時点に採用されているレイヤー数が1である場合、CQIが一番大きいストリームの対応するレイヤーの対応する二つのプリコーディングのベクトルの中のいずれかを、当該回のMIMO伝送で採用するプリコーディングにすることと、
前記UEから最近に報告されたRIの対応するレイヤー数が3であるが、現時点に採用されているレイヤー数が2である場合、前記UEから最近に報告されたプリコーディングから、レイヤー2又はレイヤー3が対応するプリコーディングのベクトルを除いたプリコーディングを、当該回のMIMO伝送で採用するプリコーディングにすることと、
前記UEから最近に報告されたRIの対応するレイヤー数が3であるが、現時点に採用されているレイヤー数が1である場合、CQIが一番大きいストリームの対応するレイヤーの対応する一つのプリコーディングのベクトル、または二つのプリコーディングベクトルの中のいずれかを、当該回のMIMO伝送で採用するプリコーディングにすることと、
前記UEから最近に報告されたRIが対応するレイヤー数が2であるが、現時点に採用されているレイヤー数が1である場合、CQIが一番大きいストリームの対応するレイヤーの対応するプリコーディングのベクトルを、当該回のMIMO伝送で採用するプリコーディングにすることと、
を含むプロセスと、
を採用する方法とにより、当該回のMIMO伝送で採用するプリコーディングを確定する第二のプリコーディング確定モジュールをさらに含む請求項8又は9に記載のプリコーディング処理装置。
【発明の詳細な説明】
【技術分野】
【０００１】
本発明は、通信技術領域に関して、具体的にプリコーディング処理方法及びその装置に関するものである。
【背景技術】
【０００２】
無線通信システムにおいて、データーの伝送率及びシステムのスループットを高めるために、多入力多出力（MIMO，Multi-Input and Multi-Output）技術を用い、システムのデータ伝送の最大スループットを取得可能な方式によってMIMOシャネルを介して一つ又は複数のデータストリームを伝送して、システムの良好なパフォーマンスを実現する。
【０００３】
プリコーディング技術は、チャネルの状況により、基地局においてプリコーディング行列（ベクトル）を介して送信待ちの信号に対して空間領域の線形変換を行い、チャネルを等価に変更させることが図られる。また、プリコーディング技術は、MIMOシステムのパフォーマンスを著しく向上させることができる。周波数分割双方向伝送（FDD）方式において、ユーザ端末（UE）から基地局にプリコーディング行列をフィードバックすることになっている。現在、プリコーディングの処理について、通常の処理方法は、基地局が、UEから最近に報告されたプリコーディングを用い、プリコーディング処理を行っている。処理とフィードバックの遅延により、例えばロングタイムエボリューション（LTE，Long Term Evolution）システムにおいて、プリコーディングは、ユーザ端末から基地局のスケジューラまで通常5ミリ秒の遅延があり、無線チャネルの時間変化特性を加えて、このような処理方法は、基地局の採用するプリコーディングが現時点の無線リンクにうまく合致できなくなってしまう。一方、基地局のスケジューラにより、ユーザ端末にフィードバックされたプリコーディングを処理することは必要不可欠なことである。
【発明の概要】
【発明が解決しようとする課題】
【０００４】
本発明の解決しようとする技術課題は、あるUEに対して現時点の採用すべきの伝送モデルと該伝送モデルにおいて採用すべきプリコーディングを合理的に予測できるようなプリコーディング処理方法及びその装置を提供することである。
【課題を解決するための手段】
【０００５】
上記技術課題を解決するために、本発明はプリコーディングの処理方法を提供する。該方法は、基地局が、受信したUEから報告された効果的なプリコーディングの数が閾値a以上であるかを判定し、そうである場合にステップBを、そうでない場合にステップDを実行するステップAと、受信した前記各効果的なプリコーディングが同一レイヤーに基づくかを判定し、そうである場合にステップCを、そうでない場合にステップDを実行するステップBと、予め確定されたプリコーディング変更速度の規則によって、前記各効果的なプリコーディングの変更が速い変更であるかを判定し、そうである場合に前記UEに対して送信ダイバーシティ伝送モデルを採用して、そうでない場合に前記UEに対してMIMO伝送モデルを採用するステップCと、前記UEに対してMIMO伝送モデルを採用するステップDと、を含む。その中、前記各効果的なプリコーディングの変更とは、基地局が順次に受信した前記各効果的なプリコーディングが形成された漸化関係である。前記効果的なプリコーディングは、最近の時間帯Lの内、基地局が受信した前記UEから報告されたプリコーディングである。前記時間Lの範囲は8ミリ秒〜200ミリ秒で、前記閾値aの範囲は4〜10である。
【０００６】
さらに、前記ステップCにおいて、効果的なプリコーディングの変更速度を判定することは、前記各効果的なプリコーディングが基づくレイヤーにおいて、前記各プリコーディングのベクトル変更速度を判定する規則により、前記各効果的なプリコーディングの各レイヤーでのベクトルの変更速度を判定し、前記各効果的なプリコーディングのベクトルの変更が速い変更であるレイヤーの数が予め設定された閾値dに達した場合、前記各効果的なプリコーディングの変更が速い変更であると判定することを含む。その中、前記レイヤーとは、各効果的なプリコーディングが基づくレイヤーであり、即ちランクインジケータ（RI、 Rank Indicator）に対応するレイヤーである。前記閾値dは1以上且つ前記各効果的なプリコーディングが基づくレイヤー数以下の整数である。前記閾値dを前記各効果的なプリコーディングが基づくレイヤー数にすることが好ましい。その中、前記各効果的なプリコーディングが各レイヤーでのベクトルの変更とは、基地局が順次に受信した前記各効果的なプリコーディングの当該レイヤーにでのベクトルにより形成された漸化関係である。
【０００７】
さらに、前記各効果的なプリコーディングが基づくレイヤーにおいて、前記各効果的なプリコーディングのベクトル変更速度を判定する規則は、
当該レイヤーにおいて、前記各効果的なプリコーディングのベクトルが同一位置における素子の変更速度を判定する規則により、当該レイヤーでの前記各プリコーディングのベクトルが各同一位置における素子の変更速度を順次に判定し、速い変更である位置の数が閾値cより大きい場合、当該レイヤーでの前記各プリコーディングのベクトルの変更が速い変更であると判定し、そうでない場合に、当該レイヤーでの前記各効果的なプリコーディングのベクトルの変更が速い変更ではないと判定する、ということである。前記閾値cは1以上且つ効果的なプリコーディングのベクトルにおける素子の数以下の整数であり、好ましくは1である。前記各効果的なプリコーディングのベクトルの同一位置における素子変更とは、基地局が順次に受信した前記各効果的なプリコーディングの当該レイヤーでのベクトルの同一位置においての素子の間に形成された漸化関係である。
【０００８】
さらに、前記当該レイヤーにおいて、前記各効果的なプリコーディングのベクトルが同一位置における素子の変更速度を判定する規則は以下のステップを含む。
ステップ1：プリコーディング受信ウィンドウとプリコーディングトレンド判定ウィンドウを予め設置する；
その中、プリコーディング受信ウィンドウは、前記UEから報告されたプリコーディングを受信して、前記プリコーディング受信ウィンドウの長さが前記時間帯Lと等しいで、前記プリコーディング受信ウィンドウにおけるプリコーディングが即ち効果的なプリコーディングである。
前記プリコーディングトレンド判定ウィンドウの受信対象も前記UEから報告されたプリコーディングであり、プリコーディングの変更トレンドを判定することに用いる。前記プリコーディングトレンド判定ウィンドウは、前記プリコーディング受信ウィンドウの部分集合であり、その長さがプリコーディング受信ウィンドウの長さより小さいである。
ステップ2：前記プリコーディング受信ウィンドウと前記プリコーディングトレンド判定ウィンドウにおける各プリコーディングの当該レイヤーでのプリコーディングベクトルが同一位置における素子分布タイプを区分する。
ステップ3：前記ステップ1と2に基づいて、以下の判定をする。
前記プリコーディング受信ウィンドウにおける前記分布タイプが静的分布又は関連分布である場合、当該レイヤーにおいて、前記各効果的なプリコーディングのベクトルが同一位置における素子の変更が速い変更ではないと判定する。
前記プリコーディング受信ウィンドウにおける前記分布タイプがジャンピング分布である場合、さらに前記プリコーディングトレンド判定ウィンドウにおける前記分布タイプが静的分布であるかを判定し、そうである場合に当該レイヤーでの前期各効果的なプリコーディングのベクトルが当該同一位置における素子の変更が速い変更ではないと判定し、そうでない場合に速い変更であると判定する。
プリコーディング受信ウィンドウにおける前記分布タイプがエリア分布又は散乱分布である場合、さらにプリコーディングトレンド判定ウィンドウにおける前記分布タイプが静的分布であるか関連分布であるかを判定し、静的分布である場合に、当該レイヤーでの前記各効果的なプリコーディングのベクトルが当該同一位置における素子の変更が速い変更ではないと判定し、関連分布で場合、速い変更であると判定する。
【０００９】
さらに、前記ステップCには、前記UEに対してMIMO伝送モデルを採用することを確定した場合、基地局が前記UEから最近に報告されたプリコーディングでMIMO伝送をするが、予め確定された前記各効果的なプリコーディングが基づくレイヤーでの前記各プリコーディングのベクトルの変更速度を判定する規則により、前記各効果的なプリコーディングのベクトル変更が速いレイヤーがある場合、基地局が、前記UEから最近に報告されたプリコーディングから前記変更が速いレイヤーの対応するベクトルを除いたプリコーディングを採用する方法により、当該回のMIMO伝送で採用するプリコーディングを確定することをさらに含む。
【００１０】
さらに、前記ステップDには、
前記UEから最近に報告されたRIの対応するレイヤー数が現時点に採用されているレイヤー数以下である場合、前記UEから最近に報告されたプリコーディングでMIMO伝送をする方法と、
なお、UEから最近に報告されたRIには現時点TTIが含まれ、
前記UEから最近に報告されたRIの対応するレイヤー数が現時点に採用されているレイヤー数より大きい場合、
受送信アンテナ数が全て2である場合、前記UEから最近に報告されたプリコーディングからブロードバンドCQI（CQI, Channel Quality Indicator）が一番大きいストリームの対応するレイヤーの対応するプリコーディングのベクトルを、当該回のMIMO伝送で採用するプリコーディングにするプロセスと、
受送信アンテナ数が全て4である場合、
前記UEから最近に報告されたRIの対応するレイヤー数が4であるが、現時点に採用されているレイヤー数が3である場合、前記UEから最近に報告されたプリコーディングから、レイヤー1又はレイヤー2の対応するプリコーディングのベクトルを除いたプリコーディングを、当該回のMIMO伝送で採用するプリコーディングにすることと、
前記UEから最近に報告されたRIの対応するレイヤー数が4であるが、現時点に採用されているレイヤー数が2である場合、前記UEから最近に報告されたプリコーディングから、レイヤー1又はレイヤー2が対応するプリコーディングのベクトルを除くとともに、レイヤー3又はレイヤー4が対応するプリコーディングのベクトルを除いたプリコーディングを、当該回のMIMO伝送で採用するプリコーディングにすることと、
前記UEから最近に報告されたRIの対応するレイヤー数が4であるが、現時点に採用されているレイヤー数が1である場合、CQIが一番大きいストリームの対応するレイヤーの対応する二つのプリコーディングのベクトルの中のいずれかを、当該回のMIMO伝送で採用するプリコーディングにすることと、
前記UEから最近に報告されたRIの対応するレイヤー数が3であるが、現時点に採用されているレイヤー数が2である場合、前記UEから最近に報告されたプリコーディングから、レイヤー2又はレイヤー3が対応するプリコーディングのベクトルを除いたプリコーディングを、当該回のMIMO伝送で採用するプリコーディングにすることと、
前記UEから最近に報告されたRIの対応するレイヤー数が3であるが、現時点に採用されているレイヤー数が1である場合、CQIが一番大きいストリームの対応するレイヤーの対応する一つのプリコーディングのベクトル、または二つのプリコーディングベクトルの中のいずれかを、当該回のMIMO伝送で採用するプリコーディングにすることと、
前記UEから最近に報告されたRIが対応するレイヤー数が2であるが、現時点に採用されているレイヤー数が1である場合、CQIが一番大きいストリームの対応するレイヤーの対応するプリコーディングのベクトルを、当該回のMIMO伝送で採用するプリコーディングにすることと、
を含むプロセスと、
を採用する方法とにより、当該回のMIMO伝送で採用するプリコーディングを確定する。
【００１１】
上記の技術課題を解決するために、本発明はさらにプリコーディング処理装置を提供する。当該装置は、UEから報告されたプリコーディングを受信する前記プリコーディング受信モジュールと、基地局が受信した前記UEから報告された効果的なプリコーディングの数が閾値a以上であるかを判定し、閾値a以上である場合、さらに受信した前記各効果的なプリコーディングが同一のレイヤーに基づくかを判定し、前記各効果的なプリコーディングが同一のレイヤーに基づく場合に、さらに前記各効果的なプリコーディングの変更が速い変更であるかを判定し、効果的なプリコーディングの変更が速い変更である場合に、基地局が前記UEに対して送信ダイバーシティ伝送モデルを採用することを確定する一方、前記基地局が受信した前記UEから報告された効果的なプリコーディングの数が閾値ａ以上でない場合、受信した前記各効果的なプリコーディングが同一レイヤーに基づくものではない場合、及び前記各効果的なプリコーディングの変更が速い変更ではない場合の少なくともいずれか一つである場合に、前記UEに対してMIMO伝送モデルを採用することを確定する前記伝送モデル選択モジュールと、を備え、その中、前記効果的なプリコーディングは、最近の時間帯Lの内、基地局が受信した前記UEから報告されたプリコーディングである。
【００１２】
その中、前記ステップCにおける前記予め確定したプリコーディング変更速度規則は、
予め確定した前記各効果的なプリコーディングが基づくレイヤーでの各プリコーディングのベクトル変更速度を判定する規則によって、前記各効果的なプリコーディングの各レイヤーでのベクトルの変更速度をそれぞれ判定し、前記各効果的なプリコーディングの変更が速いレイヤー数が予め設置した閾値dに達した場合、前記各効果的なプリコーディングの変更が速い変更であると判定することであり、前記レイヤーとは、各効果的なプリコーディングが基づくレイヤーであり、即ちランクインジケータに対応するレイヤーである。前記閾値dは1以上且つ各効果的なプリコーディングが基づくレイヤー数以下である整数であり、閾値dを前記各効果的なプリコーディングが基づくレイヤー数にすることが好ましい。
【００１３】
前記各効果的なプリコーディングの各レイヤーにおけるベクトルの変更は、基地局が順次に受信した前記各効果的なプリコーディングの当該レイヤーでのベクトルにより形成された漸化関係である。
【００１４】
前記プリコーディング処理装置は、基地局が前記UEから最近に報告されたプリコーディングでMIMO伝送をするが、予め確定された、前記各効果的なプリコーディングが基づくレイヤーでの各プリコーディングのベクトル変更速度を判定する規則によって、前記各効果的なプリコーディングのベクトル変更が速いレイヤーがある場合、基地局が採用するプリコーディングが、前記UEから最近に報告されたプリコーディングから変更が速いレイヤーの対応するベクトルを除いたプリコーディングである方法により、当該回のMIMO伝送で採用するプリコーディングを確定する第一のプリコーディング確定モジュールをさらに含む。
【００１５】
さらに、前記プリコーディング処理装置は、前記UEから最近に報告されたRIの対応するレイヤー数が現時点に採用されているレイヤー数以下である場合、前記UEから最近に報告されたプリコーディングでMIMO伝送をする方法と、
前記UEから最近に報告されたRIの対応するレイヤー数が現時点に採用されているレイヤー数より大きい場合、
受送信アンテナ数が全て2である場合、前記UEから最近に報告されたプリコーディングからブロードバンドCQIが一番大きいストリームの対応するレイヤーの対応するプリコーディングのベクトルを、当該回のMIMO伝送で採用するプリコーディングにするプロセスと、
受送信アンテナ数が全て4である場合、
前記UEから最近に報告されたRIの対応するレイヤー数が4であるが、現時点に採用されているレイヤー数が3である場合、前記UEから最近に報告されたプリコーディングから、レイヤー1又はレイヤー2の対応するプリコーディングのベクトルを除いたプリコーディングを、当該回のMIMO伝送で採用するプリコーディングにすることと、
前記UEから最近に報告されたRIの対応するレイヤー数が4であるが、現時点に採用されているレイヤー数が2である場合、前記UEから最近に報告されたプリコーディングから、レイヤー1又はレイヤー2が対応するプリコーディングのベクトルを除くとともに、レイヤー3又はレイヤー4が対応するプリコーディングのベクトルを除いたプリコーディングを、当該回のMIMO伝送で採用するプリコーディングにすることと、
前記UEから最近に報告されたRIの対応するレイヤー数が4であるが、現時点に採用されているレイヤー数が1である場合、CQIが一番大きいストリームの対応するレイヤーの対応する二つのプリコーディングのベクトルの中のいずれかを、当該回のMIMO伝送で採用するプリコーディングにすることと、
前記UEから最近に報告されたRIの対応するレイヤー数が3であるが、現時点に採用されているレイヤー数が2である場合、前記UEから最近に報告されたプリコーディングから、レイヤー2又はレイヤー3が対応するプリコーディングのベクトルを除いたプリコーディングを、当該回のMIMO伝送で採用するプリコーディングにすることと、
前記UEから最近に報告されたRIの対応するレイヤー数が3であるが、現時点に採用されているレイヤー数が1である場合、CQIが一番大きいストリームの対応するレイヤーの対応する一つのプリコーディングのベクトル、または二つのプリコーディングベクトルの中のいずれかを、当該回のMIMO伝送で採用するプリコーディングにすることと、
前記UEから最近に報告されたRIが対応するレイヤー数が2であるが、現時点に採用されているレイヤー数が1である場合、CQIが一番大きいストリームの対応するレイヤーの対応するプリコーディングのベクトルを、当該回のMIMO伝送で採用するプリコーディングにすることと、
を含むプロセスと、
を採用する方法とにより、当該回のMIMO伝送で採用するプリコーディングを確定する第二のプリコーディング確定モジュールをさらに含む。
【００１６】
本発明の有益な効果は、
既存技術に対して、本発明が採用するプリコーディング処理方法及びその装置は、基地局がUEから報告されたプリコーディング情報を収集、分析及び処理をすることにより、当該UEが現時点でMIMO伝送モデルを採用するか送信ダイバーシティを採用するか、及びMIMO伝送モデルにおいて必要とするプリコーディングを合理的に予測することができ、MIMOチャネルのパフォーマンスを極めて向上することができる。
【図面の簡単な説明】
【００１７】
【図１】2送信アンテナと2受信アンテナのMIMOチャネルでのプリコーディング行列における素子の位相分布を示す図である。
【図２】4送信アンテナと4受信アンテナのMIMOチャネルでのプリコーディング行列における素子の位相分布を示す図である。
【図３】本発明に係わるプリコーディング処理方法のプロセスを示す図である。
【図４】プリコーディング受信ウィンドウにおけるランクインジケータとプリコーディングの分布を示す図である。
【図５】プリコーディング受信ウィンドウとプリコーディングトレンド判定ウィンドウの関係を示す図である。
【図６】本発明に係わるプリコーディング処理装置の構造を示す図である。
【発明を実施するための形態】
【００１８】
以下、図面と具体的な実施例を組み合わせて、本発明を詳しく説明する。
まず、MIMOチャネルでのプリコーディング行列における素子の位相分布について説明する。主に以下の内容を含む。
【００１９】
I、LTEシステムにおいて、送信アンテナ数が2であり、受信アンテナ数が2であり、UEからプリコーディングをフィードバックされるMIMO伝送において、採用されるプリコーディングコードブック集合は以下の表1に示すとおりである。
【表１】
0005519796.tif 000002
【００２０】
II、LTEシステムにおいて、送信アンテナ数が4であり、受信アンテナ数が4であり、UEからプリコーディングをフィードバックされるMIMO伝送において、採用されるプリコーディングコードブック集合は以下の表二に示す通りである。
【表２】
0005519796.tif 000003
【００２１】
上記表一における各プリコーディング行列（ベクトル）における素子に対して、幅を考慮せず、位相のみ考慮する場合、図1の単位円におけるa0、a1、a2及びa3のいずれかによって表示することができる。ここで、図１において、x軸は実軸で、Y軸は虚軸である。a0、a1、a2及びa3は、それぞれ位相が0、π/2、π、及び3π/2の単位ベクトルを表す。
【００２２】
上記表二の各プリコーディング行列（ベクトル）における素子に対して、幅を考慮せず、位相のみ考慮する場合、図2の単位円のa0、b0、a1、b1、a2、b2、a3及びb3の中のいずれかで表示することができる。ここで、図２において、x軸は実軸で、Y軸は虚軸である。a0、b0、a1、b1、a2、b2、a3及びb3は、それぞれ0、π/4、π/2、π3/4、π、π5/4、3π/2及びπ7/4の単位ベクトルを表す。
【００２３】
以下、図３を参照して、本発明に係わるプリコーディング処理方法の適当な実施例の実現プロセスについて説明する。本実施例は主に以下のステップを含む。
【００２４】
ステップ一：基地局は、UEから報告されたランクインジケータとプリコーディング行列情報を収集する。
【００２５】
ステップ二：基地局は、受信したあるUEから報告された効果的なプリコーディングの数が閾値a以上であるかを判定し、閾値a以上である場合にステップ３を、そうでない場合はステップ５を実行する。
その中、各効果的なプリコーディングの変更とは、基地局が順次に受信した各効果的なプリコーディングにより形成された漸化関係である。
【００２６】
本ステップにおいて、前記基地局が受信した効果的なプリコーディングとは、最近の時間帯Lの内、基地局が受信した前記UEから報告されたプリコーディングである。そのUEから報告されたプリコーディングが効果的な時間領域にある。効果的な時間領域とは、現時点及び現時点前のL‐１ミリ秒の合計Lミリ秒の時間範囲である。当該Lの値は、MIMOチャネルの送信アンテナ数と受信アンテナ数の最小値と、基地局とUEに採用されたプリコーディング集合と、及びプリコーディング報告周期とに関連している。通常の場合、MIMOチャネルの送信アンテナ数と受信アンテナ数の最小値が大きい、及び/又は基地局とUEに採用されたプリコーディング集合が大きい、及び/又はプリコーディング報告周期が長いほど、Lも長いである。特に、線形関係となっている場合である。当該Lの範囲は８ミリ秒〜200ミリ秒である。
【００２７】
なお、該Lの値は、UEから報告された効果的なプリコーディングの数が閾値a（aの範囲は4〜10）以上であることを確保できるようにしなければならない。また、基地局がUEから報告された一番目のプリコーディングを受信した時点から該時点＋L‐１時点まで、効果的な時間領域が1ミリ秒から線形的にLミリ秒まで増加し、その後の効果的な時間領域がLミリ秒のままにする。また、基地局が、ある時点で該時点の効果的なプリコーディングを削除した後、新たな効果的な時間領域は、基地局が次のUEから報告されたプリコーディングを受信した時点から計算される。
【００２８】
ステップ三：基地局は、受信した各効果的なプリコーディングが同一レイヤー数に基づくかを判定し、そうである場合はステップ四を、そうでない場合はステップ五を実行する。
【００２９】
ステップ四：予め確定されたプリコーディングの変更速度の規則により、基地局は、各効果的なプリコーディングの変更が早いかを判定し、そうである場合に当該UEに対して送信ダイバーシティ伝送モデルを、そうでない場合に当該UEに対してMIMO伝送モデルを採用する。
【００３０】
本ステップにおいて、当該UEに対してMIMO伝送を採用することを確定した場合、以下の方法により当該回のMIMO伝送で採用するプリコーディングを確定することを含む。即ち、基地局が前記UEから最近に報告されたプリコーディングを採用しMIMO伝送するが、予め確定された各効果的なプリコーディングが基づくレイヤーにおける前記各プリコーディングのベクトルの変更速度を判定する規則により、各効果的なプリコーディングのベクトル変更が速いレイヤーがある場合、基地局が採用するプリコーディングは、UEが最近に報告されたプリコーディングからその変更が速いレイヤーの対応するベクトルを除いたプリコーディングである。それに応じて、今回のMIMO伝送において、基地局が採用するレイヤー数は、当該UEから最近に報告されたR１が対応するレイヤー‐1である。その中、前記RIが対応するレイヤー数とは、RIが対応するプリコーディングのレイヤー数である。
【００３１】
さらに、本実施例において、予め確定されたプリコーディング変更速度の規則は以下の通りである。
予め確定された各効果的なプリコーディングが基づくレイヤーにおける各プリコーディングのベクトル変更を判定する規則によって、各効果的なプリコーディングの各レイヤーにおけるベクトルの変更速度をそれぞれ判定し、各効果的なプリコーディングのベクトル変更が速いレイヤー数が予め設置された閾値dに達した場合、各効果的なプリコーディングの変更が速いであると判定することである。その中、前記レイヤーとは、各効果的なプリコーディングが基づくレイヤーであり、即ちランクインジケータに対応するレイヤーである。前記閾値dは1以上且つ前記各効果的なプリコーディングが基づくレイヤー数以下の整数である。本実施例において、閾値dは各効果的なプリコーディングが基づくレイヤー数である。
【００３２】
その中、各効果的なプリコーディングが各レイヤーにおけるベクトルの変化とは、基地局が順次に受信し各効果的なプリコーディングが当該レイヤーにおけるベクトルにより形成された漸化関係である。
本実施例における予め確定されたプリコーディング変更速度の規則は、実行可能な他の方法であってもよいであることが言うまでもない。
【００３３】
さらに、本実施例において、各効果的なプリコーディングが基づくレイヤーにおいて、予め確定された各プリコーディングのベクトル変更速度を判定する規則とは、
予め確定された、当該レイヤーにおける各効果的なプリコーディングのベクトルが同一位置における素子の変更速度を判定する規則によって、当該レイヤーにおいて、各効果的なプリコーディングのベクトルが各同一位置における素子の変更速度を判定し、変更が速い位置の数は閾値cより大きい場合、当該レイヤーにおいて、前記各効果的なプリコーディングのベクトル変更が速いであると判定し、そうでない場合、当該レイヤーにおいて、各効果的なプリコーディングのベクトルの変更が速いではないと判定する、ということである。前記閾値cは1以上且つ効果的なプリコーディングのベクトルにおける素子の数以下である整数であり、本実施例において閾値cは1である。
【００３４】
その中、各効果的なプリコーディングのベクトルの同一位置における素子変更とは、基地局が順次に受信した各効果的なプリコーディングの、当該レイヤーにおけるベクトルの同一位置においての素子の間に形成された漸化関係である。
本実施例における予め確定された各効果的なプリコーディングが基づくレイヤーにおける各プリコーディングのベクトルの変更速度を判定する規則は、他の実行可能な方法であってもよいであることが言うまでもない。
【００３５】
さらに、本実施例において、当該レイヤーにおいて、予め確定された各効果的なプリコーディングのベクトルが同一位置における素子の変更速度を判定する規則は以下のステップが含まれる。
【００３６】
ステップ1：プリコーディング受信ウィンドウとプリコーディングトレンド判定ウィンドウを予め設置する。
その中、前記プリコーディング受信ウィンドウは、UEから報告されたプリコーディング情報及び該プリコーディングが基づくRI情報を受信するためのものである。プリコーディング受信ウィンドウにおけるランクインジケータとプリコーディングの分布は図4に示す通りである。図4において、RI1とRI2は、それぞれ二つランクインジケータを表し、PMI1‐PMI5は、それぞれ5つのプリコーディングを表し、TTIは、伝送時間間隔である。
【００３７】
プリコーディング受信ウィンドウの長さは上記時間Lと同じであり、プリコーディング受信ウィンドウにおけるプリコーディングは、即ち効果的なプリコーディングである。プリコーディング受信ウィンドウの長さは、MIMOチャネルの送信アンテナ数と受信アンテナ数の最小値と、基地局とUEに採用されたプリコーディング集合と、プリコーディング報告周期とに関連している。通常の場合、MIMOチャネルの送信アンテナ数と受信アンテナ数の最小値が大きい、及び/又は基地局とUEに採用されたプリコーディング集合が大きい、及び/又はプリコーディング報告周期が長いほど、プリコーディング受信ウィンドウの長さも長い。特に、線形関係となっている。また、プリコーディング受信ウィンドウが受信したプリコーディングの数が上記閾値aより大きいであることを確保しなければならないことに注意すべきである。
【００３８】
プリコーディングトレンド判定ウィンドウの受信対象もUEから報告されたプリコーディング情報及び該プリコーディングが基づくRI情報である。プリコーディングトレンド判定ウィンドウは、プリコーディング受信ウィンドウの部分集合であり、プリコーディングの変更動向を判断するためのものであり、その長さはプリコーディング受信ウィンドウの長さより小さく、通常プリコーディング受信ウィンドウの長さの1/2、1/3（切り上げ）である。プリコーディングトレンド判定ウィンドウの長さをL'とする。当該L'の範囲は4ミリ秒〜100ミリ秒である。また、プリコーディングトレンド判定ウィンドウが受信したプリコーディングの数が閾値E以上であるように確保しなければならない。閾値Eの範囲は2〜5でる。プリコーディングトレンド判定ウィンドウは、現在TTI時点及び現在TTI時点前のL‐1ミリ秒と合計Lミリ秒である時間範囲内にある。図5にプリコーディング受信ウィンドウとプリコーディングトレンド判定ウィンドウとの関係を示す。
【００３９】
ステップ2：プリコーディング受信ウィンドウとプリコーディングトレンド判定ウィンドウの中の各プリコーディングの、当該レイヤーにおけるプリコーディングベクトルの当該同一位置においての素子分布タイプを判定する。その中、プリコーディング受信ウィンドウにおいての分布は以下の通りである。
【００４０】
分布一：プリコーディング受信ウィンドウにおける各プリコーディングの当該レイヤーでのベクトルが当該同一位置においての位相が変更しない静的分布である。例えば、2送信アンテナと2受信アンテナがであるMIMOチャネルの場合、全て図1の集合｛a0｝に分布し、4送信アンテナと4受信アンテナのMIMOチャネルの場合、図2の集合｛b0｝に分布している。
【００４１】
分布二：プリコーディング受信ウィンドウにおける各プリコーディングの当該レイヤーでのベクトルが当該同一位置においての素子の位相差がπ/2を超えない関連分布である。例えば、2送信アンテナと2受信アンテナがであるMIMOチャネルの場合、図1の集合｛a0,a1｝に分布し、4送信アンテナと4受信アンテナのMIMOチャネルの場合、図2の集合｛a0,b0,a1｝に分布している。
【００４２】
分布三：プリコーディング受信ウィンドウにおける各プリコーディングの当該レイヤーでのベクトルが当該同一位置においての素子の位相差がπであるジャンピング分布である。例えば、2送信アンテナと2受信アンテナがであるMIMOチャネルの場合、図1の集合｛a0,a2｝に分布し、4送信アンテナと4受信アンテナのMIMOチャネルの場合、図2の集合｛b0,b2｝に分布している。
【００４３】
分布四：プリコーディング受信ウィンドウにおける各プリコーディングの当該レイヤーでのベクトルが当該同一位置においての素子の位相差がπを超えなく、且つ単位円のいずれかの半円のみに分布するエリア分布である。例えば、2送信アンテナと2受信アンテナがであるMIMOチャネルの場合、図1の集合｛a0,a1,a2｝に分布し、4送信アンテナと4受信アンテナのMIMOチャネルの場合、図2の集合｛b0,a1,b1,a2,b2｝に分布している。
【００４４】
分布五：プリコーディング受信ウィンドウにおける各プリコーディングの当該レイヤーでのベクトルが当該同一位置においての素子の位相単位円全体に分布する散乱分布である。例えば、2送信アンテナと2受信アンテナがであるMIMOチャネルの場合、図1の集合｛a0,a1,a2,a3｝に分布し、4送信アンテナと4受信アンテナのMIMOチャネルの場合、図2の集合｛b0,a1,b1,a2,b2,a3,b3｝に分布している。
【００４５】
その中、プリコーディングトレンド判定ウィンドウは、プリコーディング受信ウィンドウにおける上記ジャンピング分布、エリア分布又は散乱分布の場合のみに用いられる。プリコーディングトレンド判定ウィンドウの中の分布タイプには、分布一、分布二及び他の分布が含まれる。プリコーディングトレンド判定ウィンドウにおける分布一即ち静的分布と、分布二即ち関連分布の定義は、プリコーディング受信ウィンドウにおける静的分布と関連分布の定義が一致している。プリコーディングトレンド判定ウィンドウにおけるその他の分布とは、静的分布と関連分布以外の他の分布である。
【００４６】
なお、LTEシステムにおいて、2レイヤーでのプリコーディングに対して二つの値しかなく、その分布タイプを静的分布とジャンピング分布のみに区分ける。
【００４７】
ステップ3：ステップ1と2に基づき、以下の判定を行う。
プリコーディング受信ウィンドウにおける分布タイプが分布一又は分布二である場合、当該レイヤーにおいて、各効果的なプリコーディングのベクトルが当該同一位置においての素子の変更が速い変更ではないと判定する。
【００４８】
プリコーディング受信ウィンドウにおける分布タイプが分布三である場合、さらにプリコーディングトレンド判定ウィンドウにおける分布タイプが分布一であるかを判定し、そうである場合に当該レイヤーにおける各効果的なプリコーディングのベクトルの当該同一位置においての素子の変更が速い変更ではないと判定し、そうでない場合は速い変更であると判定する。
【００４９】
プリコーディング受信ウィンドウにおける分布タイプが分布四又は分布五である場合、次いでプリコーディングトレンド判定ウィンドウにおける分布タイプが分布一であるかそれとも分布二であるかを判定し、分布一である場合に、当該レイヤーでの各効果的なプリコーディングのベクトルの当該同一位置においての素子の変更が速い変更ではないと判定し、分布二である場合に速い変更であると判定する。
【００５０】
なお、プリコーディング受信ウィンドウにおける関連分布タイプが異なっている場合、プリコーディングトレンド判定ウィンドウの長さも異なっている。その中、プリコーディング受信ウィンドウにおける分布タイプがジャンピング分布である場合、プリコーディングトレンド判定ウィンドウがプリコーディング受信ウィンドウの長さの1/3乃至1/2（切り上げ）である。プリコーディング受信ウィンドウにおける分布タイプがエリア分布である場合、プリコーディングトレンド判定ウィンドウの長さがmin｛プリコーディング受信ウィンドウの長さの1/3乃至1/2（切り上げ）、プリコーディング受信ウィンドウの長さ‐deltaN1｝であり、その中deltaN1の値は、2送信アンテナと2受信アンテナのMIMMOチャネルの場合、deltaN1はが3以上且つプリコーディング受信ウィンドウの長さより小さいであり、4送信アンテナと4受信アンテナのMIMMOチャネルの場合、deltaN1が5以上且つプリコーディング受信ウィンドウの長さより小さいである。プリコーディング受信ウィンドウにおける分布タイプが散乱分布である場合、プリコーディングトレンド判定ウィンドウの長さが、min｛プリコーディング受信ウィンドウの長さの1/3乃至1/2（切り上げ）、プリコーディング受信ウィンドウの長さ‐deltaN2｝であり、その中、deltaN2の値は、2送信アンテナと2受信アンテナのMIMMOチャネルの場合、deltaN2が4以上且つプリコーディング受信ウィンドウの長さより小さいであり、4送信アンテナと4受信アンテナのMIMMOチャネルの場合、deltaN2が6以上且つプリコーディング受信ウィンドウの長さより小さいである。
【００５１】
本発明において、予め確定された当該レイヤーでの各効果的なプリコーディングのベクトルの同一位置における素子変更速度を判定する方法は、実行可能な他の方法であってもいい。特に、例えば分散方式により判定することができる。
【００５２】
ステップ五：MIMO伝送モデルを採用し、当該回のMIMO伝送で採用するプリコーディングを確定する。
本ステップにおいて、主に以下の方法によって当該回のMIMO伝送で採用するプリコーディングを確定する。
【００５３】
I）当該UEから最近に報告されたRIの対応するレイヤー数が現時点に採用されているレイヤー数以下である場合、当該UEから最近に報告されたプリコーディングでMIMO伝送をする。
【００５４】
II）当該UEから最近に報告されたRIの対応するレイヤー数が現時点に採用されているレイヤー数より大きい場合、以下の処理プロセスをする。
【００５５】
i）受送信アンテナの数が全て2である場合、前記UEから最近に報告されたプリコーディングから、チャネル品質表示（CQI, Channel Quality Indicator）が一番大きいストリームが対応するレイヤーの対応するプリコーディングのベクトルを当該回MIMO伝送で採用するプリコーディングにする。
【００５６】
ii）受送信アンテナの数が全て４である場合、
（１）当該UEから最近に報告されたRIの対応するレイヤー数が4であり、現時点に採用されているレイヤー数が3である場合、当該UEから最近に報告されたプリコーディングから、レイヤー1又はレイヤー2が対応するプリコーディングのベクトルを除いたプリコーディングを、当該回MIMO伝送で採用するプリコーディングにする。
【００５７】
（２）当該UEから最近に報告されたRIの対応するレイヤー数が4であり、現時点に採用されているレイヤーが2である場合、当該UEから最近に報告されたプリコーディングの中、レイヤー1又はレイヤー2が対応するプリコーディングのベクトルを除くとともに、レイヤー3又はレイヤー4が対応するプリコーディングのベクトルを除いたプリコーディングを、当該回MIMO伝送で採用するプリコーディングにする。
【００５８】
（３）当該UEから最近に報告されたRIの対応するレイヤー数が4であり、現時点に採用されているレイヤー数が1である場合、CQIが一番大きいストリームが対応するレイヤーの対応する二つのプリコーディングのベクトルの中のいずれかを、当該回MIMO伝送で採用するプリコーディングにする。
【００５９】
（４）当該UEから最近に報告されたRIの対応するレイヤー数が3であり、現時点に採用されているレイヤー数が2である場合、当該UEから最近に報告されたプリコーディングからレイヤー2又はレイヤー3が対応するプリコーディングのベクトルを除いたプリコーディングを、当該回のMIMO伝送で採用するプリコーディングにする。
【００６０】
（５）当該UEから最近に報告されたRIの対応するレイヤー数が3であり、現時点に採用されているレイヤー数が１である場合、CQIが一番大きいストリームの対応するレイヤーの対応する一つのプリコーディングのベクトル、又は二つのプリコーディングのベクトルの中のいずれかを、当該回MIMO伝送で採用するプリコーディングにする。
【００６１】
（６）当該UEから最近に報告されたRIの対応するレイヤー数が2であり、現時点に採用されているレイヤー数が１である場合、CQIが一番大きいストリームの対応するレイヤーの対応するプリコーディングのベクトルを、当該回MIMO伝送で採用するプリコーディングにする。
【００６２】
なお、本発明のプリコーディング処理方法は、クローズループ型MIMO、マルチユーザ型MIMO、ランクインジケータが1であるクローズループ型MIMOなどのオープンループ型MIMO以外のMIMO伝送モデルに適用される。なお、UEから最近に報告されたRIには現在TTQが含まれる。
【００６３】
以上、本発明のプリコーディング処理方法の好適な実施例であり、以下、本発明に係わる二つの具体的な実施例を説明する。
【００６４】
実施例一
本実施例において、送信アンテナＮTは2で、受信アンテナＮRは２であるMIMOチャネルに対して、UEの伝送モデルは、クローズループ型MIMOであり、該UE向けのプリコーディング受信ウィンドウの長さLを20ミリ秒にして、閾値aは4、閾値cは1、閾値dは2とする。
【００６５】
ある時点において、該UEのプリコーディング受信ウィンドウにおけるプリコーディングは、それぞれ[（1，0），（1，0），（1，2），（1，0），（1，2），（1，0）]であり、その中、プリコーディングを表す括弧「（  ）」における二番目の素子は、UEから報告されたプリコーディング行列インデックス（PMI，Precoding Matrix Index）であり、プリコーディングを表す括弧「（  ）」における一番目の素子は、UEから報告されたPMIが基づくランクインジケータ（RI，Rank Indicator）の対応するレイヤー数である。基地局に対して、RIとレイヤー数とが対応していて、即ちレイヤー数＝RI＋１である。表一から分かるように、（１,０）はUEから報告されたプリコーディングが
0005519796.tif 000004
であり、（１,２）はUEから報告されたプリコーディングが
0005519796.tif 000005
であることを表す。
【００６６】
ステップ1：プリコーディング受信ウィンドウにおけるプリコーディングが満タンになったことを判定、即ち基地局が受信した該UEから報告された効果的なプリコーディングの数が閾値aより大きくなった場合、次のステップに進む。
【００６７】
ステップ2：プリコーディング受信ウィンドウにおける各プリコーディングが同一レイヤー数に基づく（全て1レイヤー）と判定した場合、次のステップに進む。
【００６８】
ステップ3：プリコーディング受信ウィンドウにおける各プリコーディングが各レイヤーにおける変更速度を順次に判定し、以下のステップが含まれる。
【００６９】
まず、プリコーディング受信ウィンドウにおける各プリコーディングがレイヤー1での変更速度を判定する。その中、プリコーディング受信ウィンドウにおける各プリコーディングのレイヤー1でのベクトルが各同一位置においての素子変更速度を順次に判定することは、
ステップ3.1：プリコーディング受信ウィンドウにおける各プリコーディングがレイヤー１でのベクトルの一番目の位置における素子分布が図１の集合｛a0｝にあることにより、その分布タイプが静的分布であると判定する。このように、プリコーディング受信ウィンドウにおける各プリコーディングのレイヤー１でのベクトルは一番目の位置における素子が遅い変更である、と判定できることと、
ステップ3.2：プリコーディング受信ウィンドウにおける各プリコーディングがレイヤー１でのベクトルの二番目の位置における素子分布が図１の集合｛a0,a1｝にあることにより、その分布タイプが関連分布であると判定する。このように、プリコーディング受信ウィンドウにおける各プリコーディングのレイヤー１でのベクトルはニ番目の位置においての素子が遅い変更である、と判定できることと、を含む。
【００７０】
従って、プリコーディング受信ウィンドウにおける各プリコーディングは、レイヤー１での変更が遅い変更である。
【００７１】
ステップ４：プリコーディング受信ウィンドウにおける各プリコーディングが基づくレイヤー数が全てレイヤー1であるが、ステップ3から、プリコーディング受信ウィンドウにおける各プリコーディングは、レイヤー1での変更が遅い変更であることが明らかしたので、該UEから最近に報告されたプリコーディングでMIMO伝送する。ここで、本実施例による前記UEの伝送モデルおよび該伝送モデルで採用するプリコーディングを確定するプロセスが終了する。
【００７２】
実施例二
本実施例において、送信アンテナＮTは４で、受信アンテナＮRは４であるMIMOチャネルに対して、UEの伝送モデルはクローズループ型MIMOであり、該UE向けのプリコーディング受信ウィンドウの長さLを24ミリ秒にして、閾値aは５、閾値cは１、閾値dは４とする。
【００７３】
ある時点において、該UEのプリコーディング受信ウィンドウにおけるプリコーディングは、それぞれ[（1，0），（1，1），（1，2），（1，2），（1，3），（2，0），（2，1），（2，0）]である。表ニに示すように、（2,0）はUEから報告されたプリコーディングが
0005519796.tif 000006
であることを表す。該UEが当該時点に用いるレイヤー数を1にし、当該時点にUEのストリーム1の報告ブロードバンドCQIを5として、ストリーム2の報告ブロードバンドCQ1を6とする。
【００７４】
ステップ1：プリコーディング受信ウィンドウにおけるプリコーディングがすでに満タンしたと判定し、次のステップに進む。
【００７５】
ステップ2：プリコーディング受信ウィンドウにおける各プリコーディングが同一レイヤー数に基づいていないと判定し、プリコーディング受信ウィンドウにおけるプリコーディングが基づくレイヤー数が異なっていることに対して、以下の処理プロセスをする。
【００７６】
ステップ2.1：プリコーディング受信ウィンドウにおける最近に報告されたRIが報告した全てのプリコーディング行列を保留するとともに、プリコーディング受信ウィンドウにおける他のプリコーディング行列を削除する。即ち、この時点のUEのプリコーディング受信ウィンドウにおけるプリコーディングは[（2，0），（2，1），（2，0）]である。
【００７７】
ステップ2.2：UEの該時点でのプリコーディングが基づくレイヤー数が、該時点に使用されるレイヤー数より大きく、且つ該時点にプリコーディングが基づくレイヤー数が2であり、該時点に使うレイヤー数が1であると判定し、該時点にUEがストリーム1を報告するブロードバンドCQ1が5で、ストリーム2の報告ブロードバンドCQ1が6であるため、ストリーム2の対応するレイヤー2が対応するプリコーディングベクトル
0005519796.tif 000007
を該時点のプリコーディングとしてMIMO伝送する。その中、該時点にプリコーディングが依拠するレイヤー数が、即ち基地局が受信した該UEから最近に報告されたRIが対応するレイヤー数である。ここで、本実施例による前記UEの伝送モデルおよび該伝送モデルで採用されるプリコーディングを確定するプロセスが終了する。
【００７８】
本発明はさらに、プリコーディング処理装置を提供する。以下、図6に基づいて、プリコーディング受信モジュールと伝送モデル選択モジュールを含む本発明に係わるプリコーディング処理装置について説明する。
【００７９】
図6は、本発明に係わるプリコーディング処理装置の構造を示す図である。図6に示すように、本発明のプリコーディング処理装置は、プリコーディング受信モジュールと伝送モデル選択モジュールが含まれる。
【００８０】
その中、前記プリコーディング受信モジュールは、UEから報告されたプリコーディングとランクインジケータを受信する。前記伝送モデル選択モジュールは、基地局が受信した前記UEから報告された効果的なプリコーディングの数が閾値a以上であるかを判定し、閾値a以上である場合に、さらに受信した前記各効果的なプリコーディングが同一レイヤー数に基づくかどうかを判定して、前記各効果的なプリコーディングが同一レイヤー数に基づく場合に、さらに前記各効果的なプリコーディングの変更が速い変更であるかを判定し、効果的なプリコーディングの変更が速い変更である場合に、基地局が前記UEに対して送信ダイバーシティを採用し、そうでない場合、前記UEに対してMIMO伝送モデルを採用することを確定する。その中、前記効果的なプリコーディングは最近の時間帯Lの内、基地局が受信した前記UEから報告されたプリコーディングである。
【００８１】
さらに、前記伝送モデル選択モジュールは、以下の方式により基地局があるUEに対して採用する伝送モデルを確定することに用いられる。
【００８２】
A、基地局が受信した該UEから報告された効果的なプリコーディングの数が閾値a以上であるかを判定し、そうである場合はステップBを、そうでない場合はステップDを実行する。
その中、基地局が受信した効果的なプリコーディングとは、UEから報告されたプリコーディングが効果的な時間領域にあるということである。前記効果的な時間領域とは、現在時点及び現在時点前のL‐1ミリ秒の合計Lミリ秒の時間範囲内である。ここで、Lの範囲は8ミリ秒〜200ミリ秒で、前記Lの値はUEから報告された効果的なプリコーディングの数が閾値aより大きいことを確保しなければならない。当該閾値aの範囲は4〜10である。
【００８３】
B、受信した前記各効果的なプリコーディングが同一レイヤー数に基づくかを判定し、そうである場合にステップCを、そうでない場合にステップDを実行する。
【００８４】
C、予め確定されたプリコーディング変更速度の規則によって、前記各効果的なプリコーディングの変更が速い変更であるかを判定し、そうである場合に当該UEに対して送信ダイバーシティ伝送モデルを採用し、そうでない場合に当該UEに対してMIMO伝送モデルを採用する。
各効果的なプリコーディングの変更とは、基地局が順次に受信した前記各効果的なプリコーディングにより形成された漸化関係である
【００８５】
D、前記UEに対してMIMO伝送モデルを採用する。
【００８６】
本実施例において、ステップCにおける予め確定されたプリコーディング変更速度の規則とは、予め確定された、前記各効果的なプリコーディングが基づくレイヤーでの前記各プリコーディングのベクトル変更速度を判定する規則によって、前記各効果的なプリコーディングの、各レイヤーでのベクトルの変更速度をそれぞれ判定し、各効果的なプリコーディングのベクトル変更が速いレイヤー数が予め設置された閾値dに達した場合、各効果的なプリコーディングの変更が速い変更であると判定することを含む。その中、前記レイヤーとは、各効果的なプリコーディングが基づくレイヤーであり、即ちランクインジケータ（RI、 Rank Indicator）に対応するレイヤーである。前記閾値dは1以上且つ前記各効果的なプリコーディングが基づくレイヤー数以下の整数である。例えば、前記閾値dを前記各効果的なプリコーディングが基づくレイヤー数にすることができる。
【００８７】
その中、前記各効果的なプリコーディングが各レイヤーでのベクトルの変更とは、基地局が順次に受信した前記各効果的なプリコーディングの当該レイヤーでのベクトルにより形成された漸化関係である。
【００８８】
上記プリコーディング処理装置は、さらに、第一のプリコーディング確定モジュールと第二のプリコーディング確定モジュールを備える。
【００８９】
その中、第一のプリコーディング確定モジュールは、伝送モデル選択モジュールに採用された伝送モデル選択方案の中のステップCにおいて、該ステップで該UEに対してMIMO伝送モデルを採用することを確定した場合、第一のプリコーディング確定モジュールは以下の方案により、当該回のMIMO伝送で採用するプリコーディングを確定する。
【００９０】
基地局が、該UEから最近に報告されたプリコーディングでMIMO伝送をするが、予め確定された各効果的なプリコーディングが基づくレイヤーでの各プリコーディングのベクトル変更速度を判定する規則によって、各効果的なプリコーディングのベクトル変更が速いレイヤーがあると判定する場合、基地局が採用するプリコーディングは該UEから報告されたプリコーディングから変更が速いレイヤーの対応するベクトルを削除したプリコーディングを採用する。
【００９１】
第二のプリコーディング確定モジュールは、伝送モデル選択モジュールに採用した伝送モデル選択方案の中のステップDにおいて、以下の方案により、当該回MIMO伝送で採用するプリコーディングを確定する。
【００９２】
I）当該UEから最近に報告されたRIの対応するレイヤー数が現時点に採用されているレイヤー数以下である場合、当該UEから最近に報告されたプリコーディングでMIMO伝送する。
【００９３】
II）当該UEから最近に報告されたRIの対応するレイヤー数が現時点に採用されているレイヤー数より大きい場合、以下の処理プロセスをする。
【００９４】
i）受送信アンテナの数が全て2である場合、前記UEから最近に報告されたプリコーディングから、チャネル品質表示（CQI, Channel Quality Indicator）が一番大きいストリームの対応するレイヤーの対応するプリコーディングのベクトルを、当該回MIMO伝送で採用するプリコーディングにする。
【００９５】
ii）受送信アンテナの数が全て４である場合、
（１）当該UEから最近に報告されたRIの対応するレイヤー数が4であり、現時点に採用されているレイヤー数が3である場合、当該UEから最近に報告されたプリコーディングから、レイヤー1又はレイヤー2の対応するプリコーディングのベクトルを除いたプリコーディングを、当該回MIMO伝送で採用するプリコーディングにする。
【００９６】
（２）当該UEから最近に報告されたRIが対応するレイヤー数が4であり、現時点に採用されているレイヤーが2である場合、当該UEから最近に報告されたプリコーディングからレイヤー1又はレイヤー2が対応するプリコーディングのベクトルを除くとともに、レイヤー3又はレイヤー4が対応するプリコーディングのベクトルを除いたプリコーディングを、当該回MIMO伝送で採用するプリコーディングにする。
【００９７】
（３）当該UEから最近に報告されたRIの対応するレイヤー数が4であり、現時点に採用されているレイヤー数が1である場合、CQIが一番大きいストリームの対応するレイヤーの対応する二つのプリコーディングのベクトルの中のいずれかを、当該回MIMO伝送で採用するプリコーディングにする。
【００９８】
（４）当該UEから最近に報告されたRIの対応するレイヤー数が3であり、現時点に採用されているレイヤー数が2である場合、当該UEから最近に報告されたプリコーディングからレイヤー2又はレイヤー3が対応するプリコーディングのベクトルを除いたプリコーディングを、当該回のMIMO伝送で採用するプリコーディングにする。
【００９９】
（５）当該UEから最近に報告されたRIの対応するレイヤー数が3であり、現時点に採用されているレイヤー数が１である場合、CQIが一番大きいストリームの対応するレイヤーの対応する一つのプリコーディングのベクトル、又は二つのプリコーディングのベクトルの中のいずれかを、当該回MIMO伝送で採用するプリコーディングにする。
【０１００】
（６）当該UEから最近に報告されたRIの対応するレイヤー数が2であり、現時点に採用されているレイヤー数が１である場合、CQIが一番大きいストリームの対応するレイヤーの対応するプリコーディングのベクトルを、当該回MIMO伝送で採用するプリコーディングにする。
【０１０１】
なお、上記の説明において、プリコーディングとプリコーディング行列は同一の概念であり、プリコーディング行列が１列しかない場合、該プリコーディング行列が即ちプリコーディングベクトルである。
【０１０２】
以上は、本発明の目的、技術思想及び有益な効果をさらに詳しく説明する具体的な実施例に過ぎず、本発明を限定するものではない。当業者であれば、本発明の精神や範囲を逸脱しないいずれの変更、や変形が可能である。このように、本発明におけるこれらの変更や変形は本発明のクレームに記載の技術思想及びその同等な技術範囲内に属すれば、これらの変更や変形も本発明の保護範囲内に含まれる。
【図１】
0005519796.tif 000008
【図２】
0005519796.tif 000009
【図３】
0005519796.tif 000010
【図４】
0005519796.tif 000011
【図５】
0005519796.tif 000012
【図６】
0005519796.tif 000013